(57)【要約】【課題】種々のタイプの難聴を忠実に体験することができる補聴器を提供する。【解決手段】補聴器は、音声帯域を分割した周波数帯毎のパラメータであって補聴モード用のパラメータと、周波数帯毎のパラメータであって難聴擬似体験モード用のパラメータとを記憶する記憶部２３と、補聴モードまたは難聴擬似体験モードを設定する設定部１６０と、入力した音声データを周波数帯に分割する帯域分割部１２０と、設定部１６０によって補聴モードの設定がなされているときは、帯域分割部１２０によって周波数帯に分割された音声データの出力レベルを補聴モード用のパラメータに従って周波数帯毎に上げる一方、設定部１６０によって難聴疑似体験モードの設定がなされているときは、帯域分割部１２０によって周波数帯に分割された音声データの出力レベルを難聴疑似体験モード用のパラメータに従って周波数帯毎に下げる利得制御部１３０とを備える。【選択図】図２
2010200257.tif 000002
【特許請求の範囲】
【請求項１】
音声帯域を分割した周波数帯毎のパラメータであって補聴モード用のパラメータと、前記周波数帯毎のパラメータであって難聴擬似体験モード用のパラメータとを記憶する記憶部と、
前記補聴モードまたは前記難聴擬似体験モードを設定する設定部と、
入力した音声データを前記周波数帯に分割する帯域分割部と、
前記設定部によって前記補聴モードの設定がなされているときは、前記帯域分割部によって前記周波数帯に分割された音声データの出力レベルを前記補聴モード用のパラメータに従って前記周波数帯毎に上げる一方、前記設定部によって前記難聴疑似体験モードの設定がなされているときは、前記帯域分割部によって前記周波数帯に分割された音声データの出力レベルを前記難聴疑似体験モード用のパラメータに従って前記周波数帯毎に下げる利得制御部と
を備えることを特徴とする補聴器。
【請求項２】
前記利得制御部によって出力レベルを上げられた音声データまたは下げられた音声データにノイズを付加するノイズ付加部を更に備えることを特徴とする請求項１に記載の補聴器。
【請求項３】
前記記憶部は、難聴疑似体験の体験者の種別および疑似体験する難聴の種別に対応付けて前記難聴疑似体験モード用のパラメータを記憶し、
前記設定部は、前記難聴疑似体験モードの設定として前記体験者の種別および前記難聴の種別を設定し、
前記利得制御部は、前記設定部によって前記体験者の種別および前記難聴の種別の設定がなされているときは、前記帯域分割部によって前記周波数帯に分割された音声データの出力レベルを前記設定部によって設定された前記体験者の種別および前記難聴の種別に対応する前記難聴疑似体験モード用のパラメータに従って前記周波数帯毎に下げることを特徴とする請求項１または請求項２の何れか１項に記載の補聴器。
【請求項４】
音声帯域を分割した周波数帯毎のパラメータであって補聴モード用のパラメータと、前記周波数帯毎の統計的な可聴閾値を記憶する記憶部と、
前記補聴モード、または、体験者の種別および難聴の種別を設定する設定部と、
入力した音声データを前記周波数帯に分割する帯域分割部と、
前記設定部によって前記補聴モードの設定がなされているときは、前記帯域分割部によって前記周波数帯に分割された音声データの出力レベルを前記補聴モード用のパラメータに従って前記周波数帯毎に上げる一方、前記設定部によって前記体験者の種別および前記難聴の種別の設定がなされているときは、前記可聴閾値並びに前記体験者の種別および前記難聴の種別から、難聴擬似体験モード用の前記周波数帯毎のパラメータを算出し、算出した前記難聴擬似体験モード用のパラメータに従って、前記帯域分割部によって前記周波数帯に分割された音声データの出力レベルを下げる利得制御部と
を備えることを特徴とする補聴器。
【発明の詳細な説明】
【技術分野】
【０００１】
本発明は、補聴器に関する。
【背景技術】
【０００２】
難聴を疑似体験する技術に関連し、耳栓を含む装着セットやヘッドホンシミュレータが考案されている（例えば、特許文献１、非特許文献１参照）。また、外部の音を遮断する装置が考案されている（例えば、特許文献２参照）。特許文献１に記載の高齢者疑似体験用装着セット、特許文献２に記載の聴力模擬装置、および、非特許文献１に記載のヘッドホンシミュレータによれば、老人性難聴（高音失墜型）を擬似体験することができる。
【先行技術文献】
【特許文献】
【０００３】
【特許文献１】実登３１０１００７号公報
【特許文献２】特開２００３−２８４１９５号公報
【非特許文献】
【０００４】
【非特許文献１】“高齢期疑似体験システム”、［online］、［平成２０年１２月１５日検索］、インターネット＜URL：http://www.mediatech.jp/seniorpose/index.html＞
【発明の概要】
【発明が解決しようとする課題】
【０００５】
しかしながら、特許文献１に記載の高齢者疑似体験用装着セット、特許文献２に記載の聴力模擬装置および非特許文献１に記載のヘッドホンシミュレータは、老人性難聴しか擬似体験できないという問題がある。また、総じて全域の音量が下がるため、老人性難聴を含め、難聴を忠実に体験することができないという問題がある。更に、何れも補聴機能を有しないため、難聴を疑似体験するためには、補聴器とは別個にこれらを用意しなければならないという問題がある。本発明は、このような事情に鑑みてなされたものであり、種々のタイプ（特性）の難聴を忠実に体験することができる補聴器を提供することを目的とする。
【課題を解決するための手段】
【０００６】
上記問題を解決するために、本発明の一態様による補聴器は、音声帯域を分割した周波数帯毎のパラメータであって補聴モード用のパラメータと、周波数帯毎のパラメータであって難聴擬似体験モード用のパラメータとを記憶する記憶部と、補聴モードまたは難聴擬似体験モードを設定する設定部と、入力した音声データを周波数帯に分割する帯域分割部と、設定部によって補聴モードの設定がなされているときは、帯域分割部によって周波数帯に分割された音声データの出力レベルを補聴モード用のパラメータに従って周波数帯毎に上げる一方、設定部によって難聴疑似体験モードの設定がなされているときは、帯域分割部によって周波数帯に分割された音声データの出力レベルを難聴疑似体験モード用のパラメータに従って周波数帯毎に下げる利得制御部とを備えることを特徴とする。
【０００７】
上記補聴器において、利得制御部によって出力レベルを上げられた音声データまたは下げられた音声データにノイズを付加するノイズ付加部を更に備えるようにしてもよい。
【０００８】
上記補聴器において、記憶部は、難聴疑似体験の体験者の種別および疑似体験する難聴の種別に対応付けて難聴疑似体験モード用のパラメータを記憶し、設定部は、難聴疑似体験モードの設定として体験者の種別および難聴の種別を設定し、利得制御部は、設定部によって体験者の種別および難聴の種別の設定がなされているときは、帯域分割部によって周波数帯に分割された音声データの出力レベルを設定部によって設定された体験者の種別および難聴の種別に対応する難聴疑似体験モード用のパラメータに従って周波数帯毎に下げるようにしてもよい。
【０００９】
上記問題を解決するために、本発明の他の態様による補聴器は、音声帯域を分割した周波数帯毎のパラメータであって補聴モード用のパラメータと、周波数帯毎の統計的な可聴閾値を記憶する記憶部と、補聴モード、または、体験者の種別および難聴の種別を設定する設定部と、入力した音声データを周波数帯に分割する帯域分割部と、設定部によって補聴モードの設定がなされているときは、帯域分割部によって周波数帯に分割された音声データの出力レベルを補聴モード用のパラメータに従って周波数帯毎に上げる一方、設定部によって体験者の種別および難聴の種別の設定がなされているときは、可聴閾値並びに体験者の種別および難聴の種別から、難聴擬似体験モード用の周波数帯毎のパラメータを算出し、算出した難聴擬似体験モード用のパラメータに従って、帯域分割部によって周波数帯に分割された音声データの出力レベルを下げる利得制御部とを備えることを特徴とする。
【発明の効果】
【００１０】
本発明によれば、補聴器において、種々のタイプの難聴を忠実に体験することができるようになる。つまり、予め種々のタイプの難聴に係る難聴擬似体験モード用のパラメータを記憶部に記憶しておけば、所望のタイプの難聴を体験すべきときは、当該タイプに係る難聴擬似体験モードに設定しさえすれば、当該タイプに係る難聴擬似体験モード用のパラメータに従って、音声の出力レベルを下げることができるようになる。また、難聴疑似体験モードにおいて、周波数帯毎に出力レベルを下げるようにしているため、何れのタイプの難聴も忠実に体験することができるようになる。
【００１１】
また、上述の如く種々のタイプの難聴を体験できるため当然ではあるが、当該補聴器を補聴用に使用する難聴者の難聴のタイプと異なるタイプの難聴を体験することができるようになる。記憶部に記憶する難聴擬似体験モード用のパラメータの一例として、補聴モード用のパラメータの絶対値と異なる値（補聴モード用のパラメータの値のプラスマイナスを反転させた値と異なる値）を記憶すればよいからである。また、補聴モード用に分割する周波数帯とは別に、難聴疑似体験モード用に周波数帯を分割することによって、難聴者の聴力を更に忠実に再現することができるようになり、種々のタイプの難聴をより一層忠実に体験することができるようになる。
【００１２】
また、出力にノイズを付加するようにしたので、ノイズ環境下の難聴者の聴力を忠実に再現することができるようになり、種々のタイプの難聴をより一層忠実に体験することができるようになる。
【００１３】
また、体験者の種別および疑似体験する難聴の種別に応じた出力レベルの下げ幅の設定が可能になるので、体験者がどのような種別であっても、また、疑似体験する難聴がどのような種別であっても、難聴を忠実に体験できるようになる。
【図面の簡単な説明】
【００１４】
【図１】補聴器１の簡略透視図である。
【図２】ＤＳＰ２２の概略ブロック図である。
【図３】記憶部２３に記憶される情報の一例である。
【図４】オージオグラムである。
【図５】補聴器１の動作の一部を示すフローチャートである。
【図６】記憶部２３に記憶される情報の他の例である。
【図７】図７は、性別の可聴閾値上昇率である。
【発明を実施するための形態】
【００１５】
本発明の実施形態に係る補聴器は、補聴器として動作する補聴モードと難聴のシミュレータとして動作する難聴擬似体験モードとが設定に基づいて切り替わる補聴器である。本発明の実施形態に係る補聴器は、少なくとも１つの難聴擬似体験モードを有するが、本発明の実施形態に係る補聴器の一例である補聴器１（後述）は、タイプの異なる３つの難聴擬似体験モード（難聴擬似体験モードＡ、Ｂ、Ｃ）を備えるものとする。
【００１６】
図１は、補聴器１の簡略透視図である。補聴器１は、図１に示すように、音声入力穴３および音声出力穴４を有する筐体２内に、マイク１０、システムＬＳＩ（ＡＳＩＣ）２０およびレシーバ３０を備える。システムＬＳＩ２０は、ＣＯＤＥＣ２１、ＤＳＰ（Digital Signal Processor）２２、および、ＥＥＰＲＯＭ（Electrically Erasable and Programmable Read Only Memory）２３を備える。ＣＯＤＥＣ２１は、Ａ／Ｄ（Analog to Digital）変換を行うＡ／Ｄ変換部１００（図１において非図示）およびＤ／Ａ（Digital to Analog）変換を行うＤ／Ａ変換部１１０（図１において非図示）を備える。レシーバ３０は、スピーカ３１を備える。
【００１７】
マイク１０は、音声入力穴３からの音を音声信号（アナログ信号）に変換し、Ａ／Ｄ変換部１００に供給する。スピーカ３１は、Ｄ／Ａ変換部１１０からの音声信号を音に変換して音声出力穴４から放音する。ＤＳＰ２２は、Ａ／Ｄ変換部１００からの音声データに所定の処理を行い、Ｄ／Ａ変換部１１０に供給する（詳細は後述）。ＥＥＰＲＯＭ２３は、ＤＳＰ２２において必要となる各種情報を記憶する（詳細は後述）。なお、ＥＥＰＲＯＭ２３は、本願の記憶部に相当する（以下、記憶部という）。
なお、補聴器１の構成は上述した形態に限られるものではない。例えば、ＣＯＤＥＣ２１、ＤＳＰ２２、ＥＥＰＲＯＭ２３は、システムＬＳＩ２０を構成せずに、それぞれ単独の部品としてもよいし、ＥＥＰＲＯＭ２３は他の形態の記憶手段であってもよい。
【００１８】
図２は、ＤＳＰ２２の概略ブロック図である。図３は、記憶部２３に記憶される情報の一例である。図４は、オージオグラムである。ＤＳＰ２２は、図２に示すように、帯域制限部１２０（本願の帯域分割部の機能を有する）、利得制御部１３０、合成部１４０、ハウリング抑制部１５０および設定部１６０を備える。なお、帯域制限部１２０は、帯域制限部１２０ａ、帯域制限部１２０ｂ…帯域制限部１２０ｇの総称である。また、利得制御部１３０は、利得制御部１３０ａ、利得制御部１３０ｂ…利得制御部１３０ｇの総称である。なお、ＤＳＰ２２は、細分化した複数の周波数帯（後述）に対応する帯域制限部および利得制御部を備える。
【００１９】
記憶部２３は、音声周波数帯（例えば、１００Ｈｚ〜１０ｋＨｚ）を細分化した複数の周波数帯毎（例えば、１２５Ｈｚ帯、２５０Ｈｚ帯、５００Ｈｚ帯、１ｋＨｚ帯、２ｋＨｚ帯、４ｋＨｚ帯、８ｋＨｚ帯）の補聴モード用のパラメータと、当該周波数帯毎の難聴擬似体験モード用のパラメータとを記憶する。補聴モード用のパラメータおよび難聴擬似体験モード用のパラメータの値は、増幅量（単位はデシベル（ｄＢ））である。
【００２０】
例えば、記憶部２３は、図３（ａ）に示すように、モードを識別する識別情報（以下、「モードＩＤ」という）と周波数帯を識別する識別情報（以下、「周波数帯ＩＤ」という）とに対応付けて各パラメータを記憶する。即ち、図３（ａ）に示す例において、記憶部２３は、補聴モードを識別するモードＩＤ「Ｍ１」と１２５Ｈｚ帯を識別する周波数ＩＤ「Ｆ１」とに対応付けて１５ｄＢを記憶している。つまり、図３（ａ）に示す例において、記憶部２３が記憶する破線Ｐ１内の各値は、補聴モード用の周波数帯毎のパラメータである。同様に、記憶部２３が記憶するＰ２内の各値は難聴擬似体験モードＡ用のパラメータの値、Ｐ３内の各値は難聴擬似体験モードＢ用のパラメータの値、Ｐ４内の各値は難聴擬似体験モードＣ用のパラメータの値である。
【００２１】
なお、難聴擬似体験モードＡ用の各周波数帯のパラメータの値と補聴モード用の当該周波数帯のパラメータの値とは絶対値が同じであるが、難聴擬似体験モードＢ用（難聴擬似体験モードＣも同様）の当該値と補聴モード用の当該値とは絶対値が異なる。つまり、難聴擬似体験モードＡは、健常者（なお、平均的な聴力を有する２０歳台の男性を健常者と称する）が補聴器１の補聴モードを使用する補聴者の難聴を体験するための難聴擬似体験モードである。難聴擬似体験モードＢ（難聴擬似体験モードＣも同様）は、健常者が補聴器１の補聴モードを使用する補聴者の難聴と異なるタイプの難聴を体験するための難聴擬似体験モードである。
【００２２】
また、記憶部２３は、現在設定されているモード（「現設定モード」という）を示す情報を記憶する。例えば、記憶部２３は、図３（ｂ）に示すように、現設定モードを示すモードＩＤを記憶する。なお、図３（ｂ）に示す例において、記憶部２３は、モードＩＤ「Ｍ２−Ａ（難聴擬似体験モードＡ）」を記憶している。
【００２３】
設定部１６０は、ＤＳＰ２２外部から各パラメータの値を取得する。例えば、設定部１６０は、無線部（非図示）（有線部であってもよい）を介して、各パラメータの値を取得する。各パラメータの値を取得した設定部１６０は、取得した各パラメータの値を記憶部２３に記憶する。
【００２４】
また、設定部１６０は、ＤＳＰ２２外部から、補聴器モード、難聴擬似体験モードＡ、難聴擬似体験モードＢ、難聴擬似体験モードＣの何れかを示すモードＩＤを取得する。例えば、設定部１６０は、筐体２に設けられたスイッチ（非図示）を介してモードＩＤを取得する。設定部１６０は、スイッチに代えてまたは加えて、無線部（非図示）（有線部であってもよい）を介して、モードＩＤを取得してもよい。モードＩＤを取得した設定部１６０は、現設定モードを示す情報として記憶部２３に記憶する。
【００２５】
Ａ／Ｄ変換部１００は、マイク１０から音声信号を取得する。Ａ／Ｄ変換部１００は、音声信号を取得した場合、音声信号を音声データ（デジタルデータ）に変換する。Ａ／Ｄ変換部１００は、音声データを帯域制限部１２０に供給する。
【００２６】
帯域制限部１２０は、Ａ／Ｄ変換部１００から音声データを取得する。帯域制限部１２０は、Ａ／Ｄ変換部１００から音声データを取得した場合、取得した音声データを所定の周波数帯に分割する。具体的には、取得した音声データのうち、帯域制限部１２０ａは、所定の周波数帯（例えば、１２５Ｈｚ帯）の音声データのみを利得制御部１３０ａに供給し、帯域制限部１２０ｂは、所定の周波数帯（例えば、２５０Ｈｚ帯）の音声データのみを利得制御部１３０ｂに供給し、帯域制限部１２０ｃは、所定の周波数帯（例えば、５００Ｈｚ帯）の音声データのみを利得制御部１３０ｃに供給し、帯域制限部１２０ｄは、所定の周波数帯（例えば、１ｋＨｚ帯）の音声データのみを利得制御部１３０ｄに供給し、帯域制限部１２０ｅは、所定の周波数帯（例えば、２ｋＨｚ帯）の音声データのみを利得制御部１３０ｅに供給し、帯域制限部１２０ｆは、所定の周波数帯（例えば、４ｋＨｚ帯）の音声データのみを利得制御部１３０ｆに供給し、帯域制限部１２０ｇは、所定の周波数帯（例えば、８ｋＨｚ帯）の音声データのみを利得制御部１３０ｇに供給することによって、取得した音声データを所定の周波数帯に分割する。
【００２７】
利得制御部１３０は、帯域制限部１２０から各周波数帯の音声データを取得する。具体的には、利得制御部１３０ａは帯域制限部１２０ａから所定の周波数帯（例えば、１２５Ｈｚ帯）の音声データを取得し、利得制御部１３０ｂは帯域制限部１２０ｂから所定の周波数帯（例えば、２５０Ｈｚ帯）の音声データを取得し、利得制御部１３０ｃは帯域制限部１２０ｃから所定の周波数帯（例えば、５００Ｈｚ帯）の音声データを取得し、利得制御部１３０ｄは帯域制限部１２０ｄから所定の周波数帯（例えば、１ｋＨｚ帯）の音声データを取得し、利得制御部１３０ｅは帯域制限部１２０ｅから所定の周波数帯（例えば、２ｋＨｚ帯）の音声データを取得し、利得制御部１３０ｆは帯域制限部１２０ｆから所定の周波数帯（例えば、４ｋＨｚ帯）の音声データを取得し、利得制御部１３０ｇは帯域制限部１２０ｇから所定の周波数帯（例えば、８ｋＨｚ帯）の音声データを取得する。
【００２８】
利得制御部１３０は、各周波数帯の音声データを取得した場合、設定部１６０によって補聴モードの設定がなされているときは、補聴モード用の各パラメータに従って、各周波数帯の音声データの各出力レベルを上げる。一方、利得制御部１３０は、各周波数帯の音声データを取得した場合、設定部１６０によって難聴擬似体験モードの設定がなされているときは、当該難聴擬似体験モード用の各パラメータに従って、各周波数帯の音声データの各出力レベルを下げる。具体的には、利得制御部１３０は、各周波数帯の音声データを取得した場合、記憶部２３に記憶されている現設定モードを参照し、現設定モード用の周波数帯毎の各パラメータを用いて、各周波数帯の音声データの各出力レベルを上下（増減）させる。即ち、利得制御部１３０は、設定部１６０によって設定されたモードに応じた各パラメータを用いて、各周波数帯の音声データの各出力レベルを上下（増減）させる。
【００２９】
例えば、図３に示す情報が記憶部２３に記憶されている場合、現設定モード「２（難聴擬似体験モードＡ）」を参照し、利得制御部１３０ａは、所定の周波数帯（例えば、１２５Ｈｚ帯）の音声データの出力レベルを１５（ｄＢ）下げ、利得制御部１３０ｂは、所定の周波数帯（例えば、２５０Ｈｚ帯）の音声データの出力レベルを２０（ｄＢ）下げ、利得制御部１３０ｃは、所定の周波数帯（例えば、５００Ｈｚ帯）の音声データの出力レベルを２０（ｄＢ）下げ、利得制御部１３０ｄは、所定の周波数帯（例えば、１ｋＨｚ帯）の音声データの出力レベルを２５（ｄＢ）下げ、利得制御部１３０ｅは、所定の周波数帯（例えば、２ｋＨｚ帯）の音声データの出力レベルを４０（ｄＢ）下げ、利得制御部１３０ｆは、所定の周波数帯（例えば、４ｋＨｚ帯）の音声データの出力レベルを５０（ｄＢ）下げ、利得制御部１３０ｇは、所定の周波数帯（例えば、８ｋＨｚ帯）の音声データの出力レベルを５０（ｄＢ）下げる。利得制御部１３０は、出力レベル増減後の各周波数帯の音声データを合成部１４０に供給する。
【００３０】
なお、図４は、図３に示す情報が記憶部２３に記憶されている場合に、利得制御部１３０が出力する各周波数帯の音声データの出力レベルである。図４によれば、周波数帯「１２５Ｈｚ」の音声データの出力レベルは１５（ｄＢ）、「２５０Ｈｚ」「５００Ｈｚ」の音声データの出力レベルは２０（ｄＢ）、「１ｋＨｚ」の音声データの出力レベルは２５（ｄＢ）、「２ｋＨｚ」の音声データの出力レベルは４０（ｄＢ）、「４ｋＨｚ」の音声データの出力レベルは５０（ｄＢ）、「８ｋＨｚ」の音声データの出力レベルは６０（ｄＢ）下がっている。
【００３１】
合成部１４０は、利得制御部１３０から出力レベル増減後の各周波数帯の音声データを取得する。合成部１４０は、出力レベル増減後の各周波数帯の音声データを取得した場合、出力レベル増減後の各周波数帯の音声データから音声帯域全体（例えば、１００ｈｚ〜１０ｋＨｚ）の音声データを生成（合成）する。合成部１４０は、合成後の音声データをＤ／Ａ変換部１１０に供給する。なお、合成部１４０は、合成後の音声データの最大出力レベルを低減させてもよい。また、合成部１４０は、合成前に各周波数帯の音声データの各最大出力レベルを低減させてもよい。
【００３２】
Ｄ／Ａ変換部１５は、合成部１４０から合成後の音声データを取得する。Ｄ／Ａ変換部１５は、合成後の音声データを取得した場合、音声信号に変換する。Ｄ／Ａ変換部１１０は、音声信号をスピーカ３１（レシーバ３０）に供給する。
【００３３】
ハウリング抑制部１５０は、合成後の音声データの帯域制限部１２０への帰還成分を除去することによって、ハウリングの発生を抑制する。なお、合成前の各周波数帯の音声データの利得制御部１３０への帰還成分を除去することによって、周波数帯毎、ハウリングの発生を抑制するようにしてもよい。
【００３４】
図５は、補聴器１の動作の一部を示すフローチャートである。具体的には、利得制御部１３０が現設定モードに係る周波数帯毎の各パラメータを用いて各周波数帯の音声データの出力レベルを上下（増減）する迄の動作を示すフローチャートである。なお、本フローチャートは、Ａ／Ｄ変換部１００による変換処理毎（例えば、サンプリング周波毎）に開始する。また、ハウリング抑制部１５０の動作は省略する。
【００３５】
Ａ／Ｄ変換部１００は、マイク１０から音声信号を入力し音声データに変換する（ステップＳ１０）。Ａ／Ｄ変換部１００は、音声データを帯域制限部１２０に供給する。Ａ／Ｄ変換部１００から音声データを取得した帯域制限部１２０は、音声データを所定の周波数帯に分割する（ステップＳ１２）。帯域制限部１２０は、各周波数帯の音声データを利得制御部１３０に供給する。
【００３６】
帯域制限部１２０から各周波数帯の音声データを取得した利得制御部１３０は、現設定モードを参照する。利得制御部１３０は、現設定モードが補聴モードであると判断したときは（ステップＳ１４：Ｙｅｓ）、補聴モード用の各パラメータを用いて、各周波数帯の音声データの出力レベルを上げる（ステップＳ１６）。そして、本フローチャートは終了する。
【００３７】
一方、利得制御部１３０は、現設定モードが難聴擬似体験モードＡであると判断したときは（ステップＳ１４：Ｎｏ，ステップＳ１８：Ｙｅｓ）、難聴擬似体験モードＡ用の各パラメータを用いて、各周波数帯の音声データの出力レベルを下げる（ステップＳ２０）。そして、本フローチャートは終了する。
【００３８】
一方、利得制御部１３０は、現設定モードが難聴擬似体験モードＢであると判断したときは（ステップＳ１４：Ｎｏ，ステップＳ１８：Ｎｏ，ステップＳ２２：Ｙｅｓ）、難聴擬似体験モードＢ用の各パラメータを用いて、各周波数帯の音声データの出力レベルを下げる（ステップＳ２４）。そして、本フローチャートは終了する。
【００３９】
一方、利得制御部１３０は、現設定モードが難聴擬似体験モードＣであると判断したときは（ステップＳ１４：Ｎｏ，ステップＳ１８：Ｎｏ，ステップＳ２２：Ｎｏ，ステップＳ２６：Ｙｅｓ）、難聴擬似体験モードＣ用の各パラメータを用いて、各周波数帯の音声データの出力レベルを下げる（ステップＳ２８）。そして、本フローチャートは終了する。
【００４０】
以上、本実施形態に係る補聴器１によれば、種々のタイプの難聴を忠実に体験することができるようになる。つまり、予め種々のタイプの難聴に係る難聴擬似体験モード用のパラメータを記憶部に記憶しておけば、所望のタイプの難聴を体験すべきときは、当該タイプに係る難聴擬似体験モードに設定しさえすれば、当該タイプに係る難聴擬似体験モード用の各パラメータに従って、音声の出力レベルを下げることができるようになる。また、帯域制限部１２０および利得制限部１３０が、補聴モードにおいて周波数帯毎に出力レベルを上げるように、難聴疑似難聴擬似体験モードにおいて周波数帯毎に出力レベルを下げるようにしているため、何れのタイプの難聴も忠実に体験することができるようになる。
【００４１】
なお、補聴器１は、利得制御部１３０によって出力レベルを上下させた音声データにノイズを付加するノイズ付加部（非図示）を更に備えてもよい。例えば、補聴器１は、各周波数帯の音声データにノイズを付加すべく、利得制御部１３０の後段であって合成部１４０の前段にノイズ付加部を備えるようにしてもよい。また、補聴器１は、合成後の音声データにノイズを付加すべく、合成部１４０の後段であってＤ／Ａ変換部１１０の前段にノイズ付加部を備えるようにしてもよい。ノイズ環境下の難聴者の聴力を忠実に再現することができるようになり、種々のタイプの難聴をより一層忠実に体験することができるようになる。
【００４２】
なお、上記実施形態において、補聴モード用に分割する周波数帯と難聴擬似体験モード用に分割する周波数帯は同じであったが、補聴モード用に分割する周波数帯と難聴擬似体験モード用に分割する周波数帯が異なっていてもよい。即ち、帯域分割部１１０は、補聴モードの設定がなされているときは、音声帯域を補聴モード用の周波数帯に分割する一方、難聴擬似体験モードの設定がなされているときは、音声帯域を難聴擬似体験モード用の周波数帯に分割するようにしてもよい。また、記憶部２３は、補聴モード用の周波数帯毎に補聴モード用のパラメータを記憶し、難聴擬似体験モード用の周波数帯毎に難聴擬似体験モード用のパラメータを記憶するようにしてもよい。これにより、難聴者の聴力を更に忠実に再現することができるようになり、種々のタイプの難聴をより一層忠実に体験することができるようになる。更に、難聴擬似体験モード毎に分割する周波数帯が異なっていてもよい。
【００４３】
以下、記憶部２３が他の情報を記憶する例（第１の例）を説明する。図６は、記憶部２３に記憶される情報の他の例である。記憶部２３は、難聴擬似体験モードを体験する体験者の種別（例えば、体験者の年代）および疑似体験する難聴の種別（例えば、難聴者の年代）に対応付けて難聴疑似体験モード用の各パラメータを記憶するようにしてもよい。例えば、記憶部２３は、図６（ａ）に示すように、体験者の年代を識別する識別情報（以下、「年代ＩＤ」という）および難聴者の年代を識別する年代ＩＤに対応付けて難聴疑似体験モード用の各パラメータを記憶するようにしてもよい。
【００４４】
なお、図６（ａ）に示す例において、記憶部２３が記憶する破線Ｐ５内の各値は、体験者の年代「Ａ１（２０歳標準）」および難聴者の年代「Ａ７（８０歳標準）」に対応付けられた各パラメータの値である。また、破線Ｐ６内の各値は、体験者の年代「Ａ６（７０歳標準）」および難聴者の年代「Ａ７（８０歳標準）」に対応付けられた各パラメータの値である。なお、記憶部２３は、体験者の種別および疑似体験する難聴の種別に応じて、難聴を忠実に体験できるような各パラメータの値を記憶している。例えば、２０歳代の体験者が８０歳代の難聴を体験する場合は、７０歳代の体験者が８０歳代の難聴を体験する場合に比べて、各周波数帯の音声データの各出力レベルの下げ幅を大きくする必要があるので、記憶部２３は、そのような各パラメータの値を記憶している。
【００４５】
上記場合、記憶部２３は、現設定モードを示すモードＩＤに加えて、体験者の種別および難聴の種別を記憶する。具体的には、記憶部２３は、難聴擬似体験モードを示すモードＩＤに加えて、体験者の年代ＩＤおよび難聴者の年代ＩＤを記憶する。例えば、記憶部２３は、図６（ｂ）に示すように、前記現設定モードを示すモードＩＤ「Ｍ２（難聴疑似体験モード）」、体験者の年代ＩＤ「Ａ１（２０歳標準）」および難聴者の年代ＩＤ「Ａ７（８０歳標準）」を記憶する。つまり、図３（ｂ）の例において記憶部２３は、各タイプの難聴擬似体験モードを個別に示すモードＩＤ（例えば、図３（ｂ）に示すモードＩＤ「Ｍ２−Ａ」）を記憶するが、図６（ｂ）の例において記憶部２３は、難聴擬似体験モードである旨を単に示すモードＩＤ「Ｍ２」と体験者の年代ＩＤと難聴者の年代ＩＤとを記憶する。
【００４６】
上記場合、設定部１６０は、各タイプの難聴擬似体験モードを個別に示すモードＩＤに代えて、難聴擬似体験モードを示すモードＩＤと体験者の年代ＩＤと難聴者の年代ＩＤとを取得する。設定部１６０は、難聴擬似体験モードを示すモードＩＤと体験者の年代ＩＤと難聴者の年代ＩＤとを取得した場合、これらを記憶部２３に記憶する。
【００４７】
上記場合、各周波数帯の音声データを取得した利得制御部１３０は、体験者の種別および難聴の種別の設定がなされているときは、体験者の種別と難聴の種別とに対応する難聴擬似体験モード用の各パラメータに従って、各周波数帯の音声データの各出力レベルを下げる。
【００４８】
これにより、体験者の種別および疑似体験する難聴の種別に応じた出力レベルの下げ幅の設定が可能になるので、体験者がどのような種別（例えば、年代）であっても、また、疑似体験する難聴がどのような種別（例えば、年代）であっても、難聴を忠実に体験できるようになる。なお、体験者の種別および難聴者の種別として性別も加えてもよい。なお、記憶部２３は、体験者の年代ＩＤおよび難聴者の年代ＩＤを記憶するときに、難聴擬似体験モードを示すモードＩＤを記憶しなくてもよい。難聴擬似体験モードを示すモードＩＤを記憶しなくても体験者の年代ＩＤおよび難聴者の年代ＩＤを記憶すれば、難聴擬似体験モードである旨が判別でき、かつ、難聴擬似体験モード用のパラメータを特定できるからである。
【００４９】
続いて、記憶部２３が他の情報を記憶する例（第２の例）を説明する。図７は、性別の可聴閾値上昇量（可聴閾値の加齢による上昇量）である。記憶部２３は、難聴疑似体験モード用の各パラメータに代えて、周波数帯毎の統計的な可聴閾値を記憶してもよい。例えば、記憶部２３は、図７（ａ）に示す男性の可聴閾値上昇量および図７（ｂ）に示す女性の可聴閾値上昇量における各閾値（プロットの各値）を記憶してもよい。なお、図７（ａ）（ｂ）に例示した可聴閾値上昇量は、ＩＳＯ７０２９：２０００の標準である。
【００５０】
上記場合には、設定部１６０は、補聴モードまたは難聴擬似体験モードの設定に加え、難聴擬似体験モードを設定するときは、体験者の種別（性別、年齢）および難聴の種別（性別、年齢）を設定する。即ち、設定部１６０は、各タイプの難聴擬似体験モードを個別に示すモードＩＤに代えて、難聴擬似体験モードを示すモードＩＤと体験者の年代ＩＤと難聴者の年代ＩＤとを取得する。設定部１６０は、難聴擬似体験モードを示すモードＩＤと体験者の年代ＩＤと難聴者の年代ＩＤとを取得した場合、これらを記憶部２３に記憶する。
【００５１】
上記場合、各周波数帯の音声データを取得した利得制御部１３０は、体験者の種別および難聴の種別の設定がなされているときは、可聴閾値並びに体験者の種別および難聴の種別から難聴擬似体験モード用の各パラメータを算出する。例えば、体験者の種別が２０歳の男性であって難聴の種別が７０歳の女性である場合（つまり、２０歳の男性が７０歳の女性の難聴を体験する場合）、各周波数帯において、図７（ｂ）の可聴閾値上昇量に基づいて７０歳の女性の可聴閾値上昇量を求め、図７（ａ）の可聴閾値上昇量に基づいて２０歳の男性の可聴閾値上昇量を求め、それらの差を難聴擬似体験モード用の各パラメータとしてそれぞれ算出する。そして、利得制御部１３０は、算出した難聴擬似体験モード用の各パラメータに従って、各周波数帯の音声データの各出力レベルを下げる。
【００５２】
なお、設定部１６０は、体験者の年代ＩＤと難聴者の年代ＩＤとを取得するときに、難聴擬似体験モードを示すモードＩＤを取得しなくてもよい。難聴擬似体験モードを示すモードＩＤを取得しなくても体験者の年代ＩＤおよび難聴者の年代ＩＤを取得すれば、難聴擬似体験モードである旨が判別でき、かつ、難聴擬似体験モード用のパラメータを算出できるからである。
【００５３】
以上、この発明の実施形態について図面を参照して詳述してきたが、具体的な構成はこの実施形態に限られるものではなく、この発明の要旨を逸脱しない範囲の設計等も含まれる。
例えば、体験者と難聴者の設定及び各パラメータの算出を、パーソナルコンピュータ上で所定のアプリケーションを実行することによって、実施するようにしてもよい。この場合は、算出したパラメータは、無線部もしくは有線部を介してパーソナルコンピュータから補聴器の記憶部へ送信すればよい。
また、加齢にともなって、周波数特性の劣化（可聴閾値の上昇）だけでなく、大きい音が大きすぎる音に聞こえてしまうリクルートメント現象が起こることもある。このリクルートメント現象による聞こえ難さを改善するために、大きい音が入力されたときの増幅率を小さくした非線形の増幅処理を行う機能を補聴器１に搭載してもよい。また、難聴擬似体験モードにおいて、このような非線形の増幅特性とちょうど逆の特性（大きい入力音に対する増幅率が大きい特性）で増幅を行うようにしてもよい。こうすることで、より忠実に難聴を体験することができるようになる。
また、体験者の聴力を測定して体験者個人の周波数帯毎の聴力データを作成しておき、その聴力データに基づいて難聴擬似体験モード用の各パラメータを作成するようにしてもよい。
【符号の説明】
【００５４】
１  補聴器  ２  筐体  ３  音声入力穴  ４  音声出力穴  １０  マイク  ２０  システムＬＳＩ（ＡＳＩＣ）  ２１  ＣＯＤＥＣ  ２２  ＤＳＰ  ２３  ＥＥＰＲＯＭ（記憶部）  ３０  レシーバ  ３１  スピーカ  １００  Ａ／Ｄ変換部  １１０  Ｄ／Ａ変換部  １２０  帯域制限部（帯域分割部）  １３０  利得制御部  １４０  合成部  １５０  ハウリング抑制部    １６０  設定部
【図１】
2010200257.tif 000003
【図２】
2010200257.tif 000004
【図３】
2010200257.tif 000005
【図４】
2010200257.tif 000006
【図５】
2010200257.tif 000007
【図６】
2010200257.tif 000008
【図７】
2010200257.tif 000009